(57)【要約】      （修正有）【課題】金属性のネジ筒につば縁を設けることで、製造は安価にして施工スピードもアップできるコンクリート型枠保持コンを提供する。【解決手段】金属素材による所定の長さの筒体２の内部に、型枠の丸セパレータに螺合するネジ穴４を施した前記筒体２の一方端部につば縁５を設けた保持コン本体６を形成し、該保持コン本体６に、合成樹脂製で成るキャップ体８の底板９に通し穴１０を設けたＰガード７を形成し、該Ｐガード７と前記保持コン本体６を一組とするコンクリート構築物の型枠保持コン１とする。【選択図】図１
0003162898.tif 000002
【実用新案登録請求の範囲】
【請求項１】
金属素材による所定の長さの筒体の内部に、型枠の丸セパレータに螺合するネジ穴を施して成る前記筒体の一方端部につば縁を設けた保持コン本体を形成し、該保持コン本体に、合成樹脂製で成板に通し穴を設けたＰガードを形成し、該Ｐガードと前記保持コン本体を一組とする構成を特徴とするコンクリート構築物型枠保持コン。
【請求項２】
前記する保持コン本体のネジ穴の中ほどに、隔壁を設けて成る請求項１に記載するコンクリート構築物型枠保持コン。
【請求項３】
前記するＰガードの底板を厚く、かつ径を大きくした請求項１又は請求項２に記載するコンクリート構築物型枠保持コン。
【請求項４】
前記する保持コン本体の筒体周囲を、ザラザラのローレット加工を施して成る請求項１から請求項３のいずれかの項に記載するコンクリート構築物型枠保持コン。
【考案の詳細な説明】
【技術分野】
【０００１】  本考案は、コンクリート構築物の施工における型枠保持コンを、金属製のネジ筒につば縁を設けた型枠保持コンとすることで、製造コストの軽減はもとより施工スピードも大幅アップすることができる型枠保持コンに関する。
【背景技術】
【０００２】  従来より、コンクリート構築物を造るにおいては、厚手のベニヤ板等ともに、丸セパレータ、型枠保持コン、締め付け具、その他様々な部材や器具を用い型枠を形成するが、その型枠の固定部材の一つとしてコンクリートに埋設するモルタルコンがある。【０００３】  その従来の代表的なモルタルコンは、図６に示すようにモルタル素材による略円錐台形状に形成した中央に、型枠形成に用いる丸セパレータに取り付ける金属製のネジ管を埋設したモルタルコンと称される部材を用いて型枠を形成するのが一般的な方法であった。
【考案が解決しようとする課題】
【０００４】  前記するようなモルタルコンが一般的であったが、製造する上でモルタル素材で成る中央に金属のネジ管を一体に形成する方法であためコスト高となり、また運搬や施工する際にモルタルが欠けたりすることもあるため、施工スピードをアップできないことも多い。
【課題を解決するための手段】
【０００５】  本考案は、従来のモルタルコンの不便や欠点を解消するために、請求項１においては、金属素材による所定の長さの筒体の内部に、型枠の丸セパレータに螺合するネジ穴を施して成る前記筒体の一方端部につば縁を設けた保持コン本体を形成し、該保持コン本体に、合成樹脂製で成るキャップ体の底板に通し穴を設けたＰガードを形成し、該Ｐガードと前記保持コン本体を一組とするコンクリート構築物型枠保持コンとする。
【０００６】  請求項２については、前記する保持コン本体のネジ穴の中ほどに隔壁を設けることで、防水性を高めるものとする。
【０００７】  請求項３については、前記するＰガードの底板を厚く、かつ径を大きくすることで、面落ち仕上げができるものとする。
【０００８】  請求項４については、前記する保持コン本体の筒体の周囲を、ザラザラのローレット加工を施してコンクリートとの密着性を高めるものとする
【考案の効果】
【０００９】  本考案における保持コン本体は、従来多用されていたモルタルコンの中央に埋設した金属製のネジ管と同形状を成すとともに、それに合成樹脂製のＰガードと称す専用キャップ体を組み合わせたユニークな型枠保持コンを形成するので、現場コンクリートを活用するのでコスト安で製造でき、かつ丈夫である。
【００１０】  またをキャップ体を組み合わせる型枠保持コンであるので、型枠を取り外した後に仕上げのキャップで塞ぐが、２種類の合成樹脂製のキャップ体の組み合わせ次第で、面合せ仕上げはもとより面落ち仕上げが可能である。
【００１１】  さらに実施例１タイプの保持コン本体のネジ穴には隔壁を設けているので、丸セパレータを伝わる水みちを防ぐ効果を得るとともに、実施例２タイプの筒体周囲はローレット加工を施しているので、コンクリートとの密着性が高められる。
【考案を実施するための最良の形態】
【００１２】  本考案による型枠保持コンは、金属製のネジ筒体と、それに組み合わされる合成樹脂素材のＰガードを組み合わせた型枠保持コンとすることで、製造コストの大幅な軽減と作業のスピードアップ化を図れる型枠保持コンを形成する。以下、その実施例を説明する。
【実施例１】
【００１３】  実施例１における型枠保持コンの実施形態を、図１に示す分解斜視図と図２に示す組み合わせ断面図及び図３に示す施工例図で説明する。【００１４】  実施例１における型枠保持コン１における本体は、金属素材による高さ約２２ｍｍ程度の筒体２の内側中ほどに隔壁３を設け、その両方向から型枠形成時の丸セパレータや軸足に螺合するネジ穴４，４を施した一方端部に、径が約１８ｍｍ程度のつば縁５を設けて成る保持コン本体６とする。【００１５】  次に、その保持コン本体６のつば縁５の反対側に組み合わせる合成樹脂製のＰガード７として、前記保持コン本体６の外周に嵌るキャップ体８の底板９に、前記保持コン本体６のネジ穴４と同じ大きさの通し穴１０を設けた高さ約８ｍｍ程度のＰガード７を形成し、そのＰガード７と前記保持コン本体６を一組とする型枠保持コン１を構成する。【００１６】  実施例１に示す型枠保持コン１は、型枠の丸セパレータに取り付けられるネジ穴４，４を設けたつば縁５付き保持コン本体６を金属素材で形成するとともに、その中ほどに隔壁３を設けているので丸セパレータからの防水効果を成すとともに、端部に組み合わせる合成樹脂製の通し穴１０付きＰガード７を一組とする極めてシンプルな構成であるので、本考案を用いて施工した場合は、図３の（イ）〜（ニ）図に示すようにして面合せ仕様のコンクリート壁面を仕上げができる。【００１７】  以下、本考案の施工手順を図３で説明する。先ず（イ）図に示すように丸セパレータ１１の端部に、本考案の保持コン本体６のつば縁５側から取り付け、その他方側にはＰガード７につば付き軸足１２を通してから丸セパレータ１１に螺合して後、型枠板１３の穴を介して突き出たつば付き軸足１２に取り付けた締め付け具４で固定した後にコンクリートを打設する。【００１８】  次に、コンクリート硬化後は、（ロ）図のように型枠板１３や締め付け具１４を取り外して後、つば付き軸足１２を取り外してＰガード７も除去する。【００１９】  以上のようにＰガード７が除かれた後は、（ハ）図のように保持コン本体６の外側が空くので、そこを仕上げのキャップ１５で塞ぐと（ニ）図のように面合せ仕様の壁面仕上げが完成する。
【実施例２】
【００２０】  実施例２における型枠保持コンの実施形態を、図４に示す分解斜視図と図５に示す組み合わせ断面図及び図６に示す施工例参考図で説明する。【００２１】  実施例２に示す型枠保持コン１は、基本的には前記実施例１同様である。まず筒体２やつば縁５付き保持コン本体６は前記実施例１と同様に金属素材とするが、その筒体２に設けるネジ穴４は貫通するものとするとともに、その筒体２外周には、線の交差や数多くの点を施したザラザラのローレット加工１６成す保持コン本体６を形成する。【００２２】  次に、その保持コン本体６に組み合わせるＰガード７Ａは、前記実施例１と同様に通し穴１０付きキャップ体８Ａを成す底板９Ａの径が約２４ｍｍほどで、かつ底板９の内側も少し厚くしたＰガード７Ａを形成し、そのＰガード７Ａと前記保持コン本体６を一組とする型枠保持コン１構成する。【００２３】  実施例２における型枠保持コン１は、保持コン本体６の外周にザラザラのローレット加工１６を施しているのでコンクリートに埋設した際の密着性を高める。またＰガード７Ａは肉厚で、かつ径も大きいので、最後の仕上げ用のキャップ１５で塞いだ場合は、周囲より低い面落ち仕様の仕上げできる。【００２４】  実施例２タイプは以上のような構成であるが、その施工手順は前記実施例１と同じように、丸セパレータ１１、型枠板１３、締め付け具１４（図示せず）を取り外してから（ホ）図のようにＰつば付き軸足１２を取り外してから、（ヘ）図のようにキャップ１５で塞ぐと（ト）図のように面落ち仕様の壁面仕上げができる。
【図面の簡単な説明】
【００２５】
【図１】本考案の型枠保持コンの実施形態の実施例１を示す分解斜視図である。
【図２】実施例１の型枠保持コンを示す断面図である。
【図３】実施例１の型枠保持コンの施工例を示す参考図である。
【図４】本考案の型枠保持コンの実施形態の実施例２を示す分解斜視図である。
【図５】実施例２の型枠保持コンを示す断面図である。
【図６】実施例２の型枠保持コンの施工例を示す参考図である
【図７】従来のモルタルコンを示す斜視図である。
【符号の説明】
【００２６】１  型枠保持コン２  筒体３  隔壁４  ネジ穴５  つば縁６  保持コン本体７  Ｐガード７Ａ  Ｐガード８  キャップ体８Ａ  キャップ体９  底板９Ａ  底板１０  通し穴１１  丸セパレータ１２  つば付き軸足１３  型枠板１４  締め付け具１５  キャップ１６  ローレット加工
【図１】
0003162898.tif 000003
【図２】
0003162898.tif 000004
【図３】
0003162898.tif 000005
【図４】
0003162898.tif 000006
【図５】
0003162898.tif 000007
【図６】
0003162898.tif 000008
【図７】
0003162898.tif 000009